Podtech/llm-jp-corpus-v4-ja_patent huggingface dataset:
(57)【要約】【課題】本体の熱が枠に伝わりにくい照明器具を提供する。【解決手段】下面に熱源となる蛍光ランプなどのランプ１のある金属製の本体２と、この本体２の上面に金属製のビス３により締め付け固定される樹脂製の枠４とを備え、前記枠４に設けた孔５に前記ビス３を通して前記枠４を前記本体２に締め付け固定する場合、前記枠４の下面と前記本体２の上面との間に介在する外向きのフランジ６を下端に有し、前記孔５より上面に突出する薄肉部７を上端に有する樹脂製の筒８を前記孔５の内周と前記ビス３の外周間に介在させ、前記ビス３の締め付けにより前記薄肉部７が外向きに変形されて前記ビス３の頭部と前記枠４の上面との間に介在される照明器具である。【選択図】　図２
2004014275.tif 000002
【特許請求の範囲】
【請求項１】
下面に熱源となるランプのある金属製の本体と、この本体の上面に金属製のビスにより締め付け固定される樹脂製の枠とを備え、前記枠に設けた孔に前記ビスを通して前記枠を前記本体に締め付け固定する場合、前記枠の下面と前記本体の上面との間に介在する外向きのフランジを下端に有し、前記孔より上面に突出する薄肉部を上端に有する樹脂製の筒を前記孔の内周と前記ビスの外周間に介在させ、前記ビスの締め付けにより前記薄肉部が外向きに変形されて前記ビスの頭部と前記枠の上面との間に介在される照明器具。
【発明の詳細な説明】
【０００１】
【発明の属する技術分野】
本発明は、装飾枠を備えた本体をもつ照明器具に関する。
【０００２】
【従来の技術】
下面に熱源となるランプのある金属製の本体と、この本体の上面に金属製のビスにより締め付け固定される樹脂製の枠とを備えた照明器具が知られている。
【０００３】
【発明が解決しようとする課題】
しかし、近年のランプが高ワット化されてきたことにより、枠の耐熱性が問題になることが多い。このため、枠の材料として耐熱温度の高い高価な樹脂を使わざるを得なかった。本発明はこのような解決すべき課題を鑑み、本体の熱が枠に伝わりにくい照明器具を提供することを目的とする。
【０００４】
【課題を解決するための手段】
請求項に示した通りである。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態は、下面に熱源となる蛍光ランプなどのランプ１のある金属製の本体２と、この本体２の上面に金属製のビス３により締め付け固定される樹脂製の枠４とを備え、前記枠４に設けた孔５に前記ビス３を通して前記枠４を前記本体２に締め付け固定する場合、前記枠４の下面と前記本体２の上面との間に介在する外向きのフランジ６を下端に有し、前記孔５より上面に突出する薄肉部７を上端に有する樹脂製の筒８を前記孔５の内周と前記ビス３の外周間に介在させ、前記ビス３の締め付けにより前記薄肉部７が外向きに変形されて前記ビス３の頭部と前記枠４の上面との間に介在される照明器具である。
【０００７】
さらに詳述すれば、天井に適宜手段で取り付けられる本体２の下面には、本体２と図示されないビスなどで結合されている金属製の反射板９（これも本体として機能していることに変わりはない）を有し、本体２と反射板９の間には図示されない点灯用インバータなど、やはり熱源となるものが収納される。そして、反射板９の下面に前記ランプ１が配置されている。また、反射板９の下面には半透光樹脂製のグローブ１０が着脱可能に取り付けられる。
【０００８】
本実施形態によれば、筒８の耐熱性に注意を払う必要があるが、樹脂製の枠４が金属製の本体２に対して樹脂製の筒８を介して熱的に実質絶縁された状態で固定されるため、枠４に耐熱温度の低い安価な材料を使用してもよくなり、コスト低減に寄与するところ大である。
【図面の簡単な説明】
【図１】（Ａ）本発明の実施形態を示す上面図
（Ｂ）同半断面図
【図２】（Ａ）同要部分解断面図
（Ｂ）同組立途中断面図
（Ｃ）同組立完了断面図
【符号の説明】
１　ランプ
２　本体
３　ビス
４　枠
５　孔
６　フランジ
７　薄肉部
８　筒
【図１】
2004014275.tif 000003
【図２】
2004014275.tif 000004
(57)【要約】【課題】蛍光ランプの取り外しを容易にできる照明器具を提供する。【解決手段】金属製の本体１の下面にソケット２を介して環状の蛍光ランプ３を近接配置した照明器具であって、ソケット２の側部近傍において蛍光ランプ３の上面から外側に対向するように本体１の下面に指が入る凹部４を形成して、蛍光ランプ３をソケット２から外しやすくした照明器具である。凹部４は、外周部が同一円弧上にある広幅部４ａと狭幅部４ｂを連ねた形状からなり、図１のように外径の小さい蛍光ランプ３を使う照明器具の場合は、狭幅部４ｂの内方にソケット２を配置し、図２のように外径の大きい蛍光ランプ７を使う照明器具の場合は、狭幅部４ｂの側方にソケット２を配置して、狭幅部４ｂの内方または側方に選択的にソケット２を配置できるようにしている。【選択図】　図１
2004014274.tif 000002
【特許請求の範囲】
【請求項１】
本体の下面にソケットを介して環状の蛍光ランプを近接配置した照明器具であって、ソケットの側部近傍において蛍光ランプの上面から外側に対向するように本体の下面に指が入る凹部を形成して、蛍光ランプをソケットから外しやすくした照明器具。
【請求項２】
請求項１において、凹部は、外周部が同一円弧上にある広幅部と狭幅部を連ねた形状からなり、狭幅部の内方または側方に選択的にソケットを配置した照明器具。
【発明の詳細な説明】
【０００１】
【発明の属する技術分野】
本発明は、環状の蛍光ランプを備えた照明器具に関する。
【０００２】
【従来の技術】
近年では環状の蛍光ランプの管径が細くなったことにより、薄型の照明器具が主流になっている。そのような照明器具では、薄型化を一層促進するためにソケットにより接続される蛍光ランプを本体の下面に近接して配置することが多い。
【０００３】
【発明が解決しようとする課題】
しかし、蛍光ランプをソケットに取り付ける場合はいざ知らず、取り外す際に指を蛍光ランプと本体下面のわずかな隙間に差し込むのが難しく、蛍光ランプの取り外しが困難になっていた。本発明はこのような解決すべき課題を鑑み、蛍光ランプの取り外しを容易にできる照明器具を提供することを目的とする。
【０００４】
【課題を解決するための手段】
請求項に示した通りである。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図１に示す実施形態は、金属製の本体１の下面にソケット２を介して環状の蛍光ランプ３を近接配置した照明器具であって、ソケット２の側部近傍において蛍光ランプ３の上面から外側に対向するように本体１の下面に指が入る凹部４を形成して、蛍光ランプ３をソケット２から外しやすくした照明器具である。
【０００７】
さらに詳述すれば、本体１は天井５に適宜手段で取り付けられ、本体１の下面は反射面として構成されている。ソケット２は本体１の内部にて図示されない適宜手段で固定され、ソケット２の下部が本体１の下面に貫通されて露出している。また、本体１の下面にはソケット２と同一の円周上において約１２０°間隔で２つの弾性金属製略Ｕ状の支持具６，６が固定され、蛍光ランプ３はソケット２と支持具６、６により本体１の下面に近接保持されている。蛍光ランプ３の取り外しの際には、図１（Ｃ）のように凹部４の広幅部４ａに指を差し込んで蛍光ランプ３の管部分を押し下げるようにすると、蛍光ランプ３を容易にソケット２から離脱できる。なお、蛍光ランプ３にはソケット２に接続される導電ピンがあるが、図には現れてこない。また、本体１の下面に取り付けるグローブは図示省略してある。
【０００８】
図２の実施形態は、前記本体１を流用して、外径がやや大きい蛍光ランプ７を採用した場合の照明器具である。この場合、凹部４の狭幅部４ｂにソケット２が係らないようにしなければならないため、凹部４の広幅部４ａはソケット２から遠くなるので、その部分に指を差し込んでも蛍光ランプ７の離脱を行いにくい。このため、図２（Ｃ）のようにソケット２に近い凹部４の狭幅部４ｂに指を差し込んで蛍光ランプ７の取り外しを行うとよい。このように、凹部４は、外周部が同一円弧上にある広幅部４ａと狭幅部４ｂを連ねた形状からなっており、図１のように外径の小さい蛍光ランプ３を使う照明器具の場合は、狭幅部４ｂの内方にソケット２を配置し、図２のように外径の大きい蛍光ランプ７を使う照明器具の場合は、狭幅部４ｂの側方にソケット２を配置して、狭幅部４ｂの内方または側方に選択的にソケット２を配置できるようにしている。
【０００９】
本実施形態によれば、薄型化の照明器具において、蛍光ランプの取り外しを簡単に行え、蛍光ランプ交換時に便利なものとなった。また、外径の異なる蛍光ランプを使う照明器具においてそれぞれ、ソケット配置と蛍光ランプ取り外し容易性とを両立できるものとなった。
【図面の簡単な説明】
【図１】（Ａ）本発明の実施形態を示す断面図
（Ｂ）同下面図
（Ｃ）同部分拡大断面図
【図２】（Ａ）本発明の他の実施形態を示す断面図
（Ｂ）同下面図
（Ｃ）同部分拡大断面図
【符号の説明】
１　本体
２　ソケット
３　環状の蛍光ランプ
４　凹部
４ａ　広幅部
４ｂ　狭幅部
【図１】
2004014274.tif 000003
【図２】
2004014274.tif 000004
(57)【要約】【課題】本来の単一様式な連続電灯は、本発明の接続部材により、異なった様式の例えば装飾用「網状連続電灯」に変更することができ、装飾効果の可能性を更に向上した。【解決手段】接続部材は透明な捩れる材料で形成した中空管状であり、前記接続部材の両側の内周面には連続電灯の灯座を定位して嵌め合いに提供した内孔がそれぞれ設けてあり、隣接した二連続電灯の電灯が前記接続部材の内部に嵌め込んで定位することができることを特徴とする連続電灯の接続部材。【選択図】　　　図１
2004014243.tif 000002
【特許請求の範囲】
【請求項１】
接続部材は透明な捩じれる材料で形成した中空管状であり、前記接続部材の両側の内周面には連続電灯の灯座を定位して嵌め合いに提供した内孔がそれぞれ設けており、隣接した二連続電灯の電灯が前記接続部材の内部に嵌め込んで定位することができることを特徴とする連続電灯の接続部材。
【請求項２】
互いに対向して定位した二電灯の間に一間隔片を予め設置したことを特徴とする請求項１に記載の連続電灯の接続部材。
【請求項３】
前記接続部材の両側の内周面には、戻り止歯を設けていることを特徴とする請求項１又は請求項２に記載の連続電灯の接続部材。
【発明の詳細な説明】
【０００１】
【発明の属する技術分野】
本発明は連続電灯の接続部材に係わり、特に装飾用連続電灯に応用して連続電灯の本来の様式を変更できる連続電灯の接続部材に関する。
【０００２】
【従来の技術】
従来の連続電灯、例えばクリスマス連続電灯は殆ど同じハネスに複数の互いに間隔した電灯を設けた。さらに、複数の電灯の間には、内部に双金属片を含んだマザー電灯を間隔に設置して、全体の連続電灯が前記マザー電灯に制御され、電流を流すと電灯が問歇的に点滅する。しかしながら、この従来の連続電灯の照明及び点滅機能の変化性が少ないので、すでに市場の二一ズに満足できなくなった。
【０００３】
目下、市販している連続電灯は各種の変化可能性があり、例えば電灯及びハネスを網状にし、米国特許第５，６６２，４０９号が網状の連続電灯を装飾対象物に掛けて面状の点滅効果を発生し、なお、使用後の収納にも極めて便利である。しかしながら、このタイプの「網状連続電灯」や「編成式連続電灯」（例えば米国特許第５，９５１，１４６号）は一般に単一な様式であり、変化することはできない。
【０００４】
【発明が解決しようとする課題】
本発明の主要な目的は、連続電灯の接続部材を提供して、それぞれの連続電灯の隣接した二電灯が本発明の接続部材で接続することができ、連続電灯の本来の様式を変更することができ、例えば特に「アイスバー式連続電灯」を網状様式に適用することができる。
【０００５】
【課題を解決するための手段】
前述した目的を達成するために成された本発明は、捩じれる樹脂材料で作製した接続部材を形成し、前記接続部材の両側の内面にはその接続する電灯及び灯座の寸法に合う定位端を設け、好適な具体例では、前記接続部材の両側の内面には戻り止歯を設け、それにより、連続電灯の隣接した二電灯はそれぞれ前記各接続部材の両側に取付けることができ、連続電灯の様式を変更する。
【０００６】
【発明の実施の形態】
まず、図１と図２（Ａ）、（Ｂ）に示すのは、この発明の好適な具体例であり、大体は一管状接続部材１０を設けており、管状接続部材１０が透明な且つ捩れる材料（例えば樹脂材料）で形成され、隣接した電灯２０，３０はそれぞれ管状接続部材１０の両側に嵌め込んで相対に定位することができる。
【０００７】
図２（Ａ）、（Ｂ）に示すように、管状接続部材１０の両側の内面には別々に接合定位端を設ける。好適な具体例では、接続部材１０の両側の内面には別々に定位しようとする電灯２０、３０の灯座２２、３３の外径より少し小さい内孔１１、１２を設けている。前述した具体例では、内孔１１、１２には戻り止歯を有する内周面１３（図２（Ｂ）を参照）が端面から内側へ適当な長さに延在して設けている。
【０００８】
図３と図４に示すのは、接続部材１０によれば、電灯２０、３０の灯座２２、３３はそれぞれその両側の内孔１１、１２に挿し込んだときに、灯座２２、３３の外周壁と接続部材１０の内孔１１、１２における戻り止歯を有する内周面１３との間の摩擦抵抗及び材料が圧縮された反発力により、定位使用とする電灯２０、３０を相対に透明な接続部材１０の内部に定位することができる。
【０００９】
図５に示すのは、本発明のもう一つのより理想的な具体例であり、管状接続部材１００の中央位置に一間隔片１０９を設けることができる。それは、差込む工程の定位部材としながら、相対した二電灯２０、３０の直接の接触により損傷されることを防止することができる。
【００１０】
図６に示す「アイスバー式連続電灯」を例として、これは、複数本の連続電灯を所定距離に置いて下へ垂れるようにした。図６では、７１〜７６の六本の連続電灯を有した。図７に示すのは、本発明の接続部材をこれらの連続電灯に応用し、各本の連続電灯における隣接した電灯２０、３０は一接続部材１０で接続させることにより、本来の「アイスバー式連続電灯」が図７に示すような「網状連続電灯」に様式を変更することができる。
【００１１】
以上に挙げた具体例は、単に本発明を便利に説明するために挙げた例に過ぎず、全ての本発明の要旨の変形例や改良は、全て本発明の特許請求範囲に属する。
【００１２】
【発明の効果】
この発明は次のような効果がある。
【００１３】
本来の単一様式の連続電灯は、本発明の接続部材により、異なった様式の、例えば装飾用「網状連続電灯」に変更することができ、装飾効果の可能性を更に向上した。
【図面の簡単な説明】
【図１】本発明の好適な実施形態の斜視図である。
【図２】（Ａ）は図１の分解図で、（Ｂ）は（Ａ）における接続部材の一側端の局部拡大図である。
【図３】図１の断面図である。
【図４】図３の５−５線断面図である。
【図５】本発明のもう一つの好適な実施形態の図である。
【図６】本発明を適用した一種の使用例である。
【図７】図６の一種の変形例である。
【符号の説明】
１０　　管状接続部材
１１、１２　内孔
１３　　内周面
２０、３０　電灯
２２、３３　灯座
７１、７２、７３、７４、７５、７６　連続電灯
１００　接続部材
１０９　間隔片
【図１】
2004014243.tif 000003
【図２】
2004014243.tif 000004
【図３】
2004014243.tif 000005
【図４】
2004014243.tif 000006
【図５】
2004014243.tif 000007
【図６】
2004014243.tif 000008
【図７】
2004014243.tif 000009
(57)【要約】【課題】省エネ化できて設置が容易となるイオン発生装置付き照明器の提供を目的とする。【解決手段】イオン発生ユニットと、送風用ファンと制御部を備えたイオン発生装置３を、照明光源５からの光エネルギーを電気エネルギーに変換し得る太陽電池と一体化して、照明器１を構成する。【選択図】　　　　　　　図１
2004014250.tif 000002
【特許請求の範囲】
【請求項１】
イオン発生ユニットと、送風用ファンと制御部を備えたイオン発生装置を、照明光源からの光エネルギーを電気エネルギーに変換し得る太陽電池により駆動させるように構成したことを特徴とするイオン発生装置付き照明器。
【請求項２】
前記イオン発生装置と、前記太陽電池と、照明光源を一体化したことを特徴とする請求項１に記載のイオン発生装置付き照明器。
【発明の詳細な説明】
【０００１】
【発明の属する技術分野】
この発明は、イオン発生装置付きの照明器に関するものである。
【０００２】
【従来の技術及び発明が解決しようとする課題】
近年、リフレッシュ効果のあるイオンを発生し得るイオン発生装置が出現しているが、このような装置を、例えば浴室内等に設置しようとする場合には、専用の電気配線工事等が必要となり、既存の浴室に設置することが困難となる問題点があった。
【０００３】
【課題を解決するための手段】
本発明は、上記従来の問題点に鑑み案出したものであって、設置が容易となり、省エネ化できるイオン発生装置付き照明器を提供せんことを目的とし、その第１の要旨は、イオン発生ユニットと、送風用ファンと制御部を備えたイオン発生装置を、照明光源からの光エネルギーを電気エネルギーに変換し得る太陽電池により駆動させるように構成したことである。
また、第２の要旨は、前記イオン発生装置と、前記太陽電池と、照明光源を一体化したことである。
【０００４】
【発明の実施の形態】
以下、本発明の実施例を図面に基づいて説明する。
図１は、照明器の側面構成図であり、この照明器１は、浴室内の壁面やキッチン，洗面台の壁面等に取り付けできるように取付台２が設けられており、この取付台２の前面には、イオン発生装置３と共に、照明光源５を内装した照明カバー４が取り付けられて、コンパクトに一体化されており、イオン発生装置３に対し、照明カバー４と照明光源５は着脱できるように構成されている。
【０００５】
イオン発生装置３の内部には、図２に拡大して示すような構成部材が内装されている。
図２において、イオン発生装置３を構成するケース６内の裏面側下部には、取付孔７ａを有する取付座７が設けられており、この取付座７の取付孔７ａ内に、前方側から照明光源５、及び照明カバー４を着脱可能に取り付けできるものである。
この取付座７の前面側には、取付孔７ａと整合する中心孔を有するドーナツ状の太陽電池パネル８が設けられている。この太陽電池パネル８は、光エネルギーを電気エネルギーに変換し得るものである。
【０００６】
また、太陽電池８の上方には、制御部９が設けられており、この制御部９は、昇圧回路，間欠運転回路等の回路を備えて構成されている。
また、制御部９の上方には、送風用のシロッコファン１０が設けられており、更にその上方には、イオン発生ユニット１１が設けられている。
シロッコファン１０の前面には、ケース６に吸気口６ａが開口されており、浴室内の空気が流入できるように構成されている。
また、イオン発生ユニット１１の上面側には、排気口６ｂが開口されている。
【０００７】
このように、ケース６内に、太陽電池パネル８と制御部９，シロッコファン１０，イオン発生ユニット１１をコンパクトに組み込んでイオン発生装置３が構成されている。
このようなイオン発生装置３において、浴室の照明スイッチがオンされた時に、照明光源５が点灯すると、この照明光源５からの光が裏側の太陽電池パネル８に当たり、この太陽電池パネル８において光エネルギーを電気エネルギーに変換して、前記制御部９，シロッコファン１０，イオン発生ユニット１１を良好に駆動することができるものである。
【０００８】
なお、イオン発生ユニット１１内には、一種の放電装置が内蔵されており、マイナスイオン及びプラスイオンを発生させることができるものであり、シロッコファン１０が回転すると、浴室内の空気を吸気口６ａから吸い込み、イオン発生ユニット１１で発生したイオンにより、空気をイオン化させ、排気口６ｂから排出することができ、この排出したイオン化空気の気流により、浴室内の塵やカビ菌等が沈降化して、リフレッシュ効果が得られ、リラックスした状態で入浴等を行うことができるものとなる。
【０００９】
本例の照明器１においては、太陽電池８を備えたイオン発生装置３が一体化されて、優れた意匠性を呈した形状に形成されているため、浴室内等に美観を呈して良好に設置することができ、照明光源５を点灯させるための電気配線工事だけで設置を完了することができ、照明光源５からの光エネルギーを利用して、良好にイオン発生ユニット１１等を駆動させることができ、省エネ化を図ることができるものとなる。
なお、このような照明器１は、浴室内の他に、キッチンや洗面台にも良好に設置することができるものである。
【００１０】
【発明の効果】
本発明は、イオン発生ユニットと、送風用ファンと制御部を備えたイオン発生装置を、照明光源からの光エネルギーを電気エネルギーに変換し得る太陽電池により駆動させるように構成したことにより、光エネルギーを利用して良好にイオン発生装置を駆動させて、空気をイオン化してリフレッシュ効果を得ることができるものとなり、太陽電池を備えているため、省エネ化できるものとなる。
【００１１】
また、イオン発生装置と、太陽電池と、照明光源を一体化したことにより、照明用の電気配線工事だけで設置を完了することができ、設置が容易となり、また一体化したことにより意匠性を高めることができる効果を有する。
【図面の簡単な説明】
【図１】照明器の側面構成図である。
【図２】図１の照明器におけるイオン発生装置部分の拡大内部構成図である。
【符号の説明】
１　照明器
２　取付台
３　イオン発生装置
４　照明カバー
５　照明光源
６　ケース
７　取付座
７ａ　取付孔
８　太陽電池パネル
９　制御部
１０　シロッコファン
１１　イオン発生ユニット
【図１】
2004014250.tif 000003
【図２】
2004014250.tif 000004